(57)【要約】【課題】炭酸飲料、ジュース、コーヒーなどの飲料等を飲み易く、醤油や酒などを注ぎ易くするなどして、使用性を高めた液体容器を提供する。【解決手段】ペットボトル１の本体部２の中心軸Ｌ１と所定の角度をもつ傾斜した中心軸Ｌ２上に口部３を設け、該口部３を該本体部２に対して斜めに延びた構成とする一方、本体部２の中心軸Ｌ１を鉛直にした状態で上側に位置する口部３周壁に空気孔６を設け、この空気孔６に嵌合可能な空気孔用栓部７をスクリューキャップ４に一体に連接している。飲料などがスムーズに緩やかに出るため、飲み易いし、飲料などをこぼしてしまうこともなく、注ぎはねも少ない。空気孔６が開いているため、飲料などがスムーズに流れ、口部３から空気が入るゴボゴボという耳障りな音もなくなり、さらに、ペットボトル１内部の飲料などが少なくなってきた場合には、ペットボトル１をそれ程傾けなくとも良く、腕への負担も軽減できる。【選択図】  図１
0003107288.tif 000002
【実用新案登録請求の範囲】
【請求項１】
大径筒状の本体部の一端部に小径筒状の口部を備え、該口部は着脱可能なキャップにより開閉される液体容器において、
前記本体部の中心軸と所定の角度をもつ傾斜した中心軸上に前記口部を設け、該口部を該本体部に対して斜めに延びた構成とする一方、
前記本体部の中心軸を鉛直にした状態で上側に位置する口部周壁に空気孔を備え、
かつ、前記キャップに連接されると共に、前記空気孔に嵌合可能で、前記キャップにより口部を閉じた際には、前記空気孔に嵌合させて該空気孔を閉鎖し、口部から液体を排出する際には前記空気孔から取り外される空気孔用栓部を備えることを特徴とする液体容器。
【請求項２】
前記本体部の中心軸を鉛直にした状態で上側に位置する口部周壁の稜線を、液体容器の略山形状の首部の稜線と一致させたことを特徴とする請求項１記載の液体容器。
【請求項３】
前記空気孔用栓部を空気孔に嵌合させた際に、該空気孔用栓部を口部周壁に固定するため、空気孔用栓部の外面を被覆して貼られるシール部材を備えたことを特徴とする請求項１又は２記載の液体容器。
【請求項４】
前記口部に、該口部外面から膨出する位置と内面に凹んで格納される位置とに選択的に折曲変形される上面が開放された略三角錐のくちばし形状をなした注ぎ部を一体形成したことを特徴とする請求項１〜３のいずれか１に記載の液体容器。
【請求項５】
前記液体容器は、ペットボトルであることを特徴とする請求項１〜４のいずれか１に記載の液体容器。
【考案の詳細な説明】
【技術分野】
【０００１】
本考案は、炭酸飲料、ジュース、コーヒー、酒、醤油などを収容するペットボトル等の液体容器に関し、より詳しくは、液体の飲み易さ、注ぎ易さを追求した液体容器に関する。
【背景技術】
【０００２】
例えば、炭酸飲料、ジュース、コーヒーなどの飲料を入れた液体容器として、ペットボトルが良く知られており、店頭や自動販売機で手軽に購入することができ、多量に消費されている。通常のペットボトル２０は、図５に示すように、大径の円筒状本体部２１の一端部に小径の円筒状口部２２を備え、該口部２２は、着脱可能にねじ嵌合されるスクリューキャップ２３により開閉される。
【考案の開示】
【考案が解決しようとする課題】
【０００３】
かかるペットボトル２０において、図５に示すように、従来では、本体部２１の中心軸上に口部２２が設けられており、該口部２２が真っ直ぐ延びているのが通例である。このように口部２２が真っ直ぐ延びていると、飲料を飲む場合や他の容器に注ぐ場合に、注意しないと、飲料が勢いよく飛びだし、飲みにくいし、飲料をこぼして、テーブルや床などを汚す。また、注ぐときに口部２２から空気が入るゴボゴボという耳障りな音もする。さらに、口部２２が本体部２１に対して真っ直ぐ延びているため、ペットボトル２０内部の飲料が少なくなってきた場合に、飲料を飲んだり、他の容器に注ぐときに、ペットボトル２０をかなり傾けなければならず、腕への負担も大きいという欠点もあった。
【０００４】
本考案は上記した点に鑑みなされたものであり、炭酸飲料、ジュース、コーヒーなどの飲料等を飲み易く、醤油や酒などを注ぎ易くするなどして、使用性を高めた液体容器を提供することを課題とする。
【課題を解決するための手段】
【０００５】
上記課題を解決するため、請求項１記載の本考案では、大径筒状の本体部の一端部に小径筒状の口部を備え、該口部は着脱可能なキャップにより開閉される液体容器において、
前記本体部の中心軸と所定の角度をもつ傾斜した中心軸上に前記口部を設け、該口部を該本体部に対して斜めに延びた構成とする一方、
前記本体部の中心軸を鉛直にした状態で上側に位置する口部周壁に空気孔を備え、
かつ、前記キャップに連接されると共に、前記空気孔に嵌合可能で、前記キャップにより口部を閉じた際には、前記空気孔に嵌合させて該空気孔を閉鎖し、口部から液体を排出する際には前記空気孔から取り外される空気孔用栓部を備えることを特徴とする液体容器を提供する。
請求項２記載の本考案では、前記本体部の中心軸を鉛直にした状態で上側に位置する口部周壁の稜線を、液体容器の略山形状の首部の稜線と一致させたことを特徴とする請求項１記載の液体容器を提供する。
請求項３記載の本考案では、前記空気孔用栓部を空気孔に嵌合させた際に、該空気孔用栓部を口部周壁に固定するため、空気孔用栓部の外面を被覆して貼られるシール部材を備えたことを特徴とする請求項１又は２記載の液体容器を提供する。
請求項４記載の本考案では、前記口部に、該口部外面から膨出する位置と内面に凹んで格納される位置とに選択的に折曲変形される上面が開放された略三角錐のくちばし形状をなした注ぎ部を一体形成したことを特徴とする請求項１〜３のいずれか１に記載の液体容器を提供する。
請求項５記載の本考案では、前記液体容器は、ペットボトルであることを特徴とする請求項１〜４のいずれか１に記載の液体容器を提供する。
【考案の効果】
【０００６】
本考案は、ペットボトルなどの液体容器の本体部の中心軸と所定の角度をもつ傾斜した中心軸上に口部を設け、該口部を該本体部に対して斜めに延びた構成とする一方、前記本体部の中心軸を鉛直にした状態で上側に位置する口部周壁に空気孔を設けている。また、この空気孔に嵌合可能な空気孔用栓部をキャップに一体に連接している。
口部が本体部に対して斜めに延びていると、飲料などを飲む場合や他の容器に注ぐ場合に、飲料などがスムーズに緩やかに出るため、飲み易いし、飲料などをこぼしてしまうこともなく、注ぎはねも少ない。また、空気孔が開いているため、飲料などを飲む場合や他の容器に注ぐ場合に、空気孔から液体容器内に空気が入り、飲料などがスムーズに流れ、口部から空気が入るゴボゴボという耳障りな音もなくなる。さらに、口部が本体部に対して斜めに延びているため、液体容器内部の飲料などが少なくなってきた場合には、飲料などを飲んだり、他の容器に注ぐときに、液体容器をそれ程傾けなくとも良く、腕への負担も軽減することができる。
また、本考案の液体容器は、口部が傾斜しているため、使用時においては、本体部は口部の傾斜方向に傾けて使用することになるが、空気孔は斜めに延びた口部の上側に形成されている。このため、使用時において空気孔が下側になることはなく、使用中、該空気孔から液体が漏れ出ることもない。
また、空気孔用栓部がキャップに一体に連接されているため、キャップを外せば、容易に空気孔を開栓することができる一方で、非使用時においては、キャップで口部を閉じると共に、空気用栓部を空気孔に嵌合させることで、非使用時に誤って倒れた場合でも、空気孔を介しての液体の流出を防止できる。
【考案を実施するための最良の形態】
【０００７】
以下、図面に示した実施の形態に基づき本考案をさらに詳細に説明する。図１および図２は、第１の実施形態の液体容器としてのペットボトル１を示す図である。ペットボトル１は、炭酸飲料、ジュース、コーヒー、酒、醤油などの液体を入れるものであり、大径円筒状の本体部２の一端部に小径円筒状の口部３を備え、該口部３はねじ嵌合により着脱可能な樹脂製のスクリューキャップ４により開閉される。この場合、口部３の外周面にはおねじ部３ａが設けられ、スクリューキャップ４の内周面にめねじ部４ａが設けられている。また、本体部２の口部３側の端部の首部５は、例えば略円錐形や略三角錐形などの略山形状に形成されている。
【０００８】
ここで、本体部２の中心軸Ｌ１と所定の角度をもつ傾斜した中心軸Ｌ２上に口部３が設けられており、該口部３が該本体部２に対して斜めに延びた構成となっている。また、本実施形態では、本体部２の中心軸Ｌ１を鉛直にした状態で上側に位置する口部３周壁の稜線を、ペットボトル１の首部５の稜線と一致させるようにしている。
【０００９】
さらに、本体部２の中心軸Ｌ１を鉛直にした状態で上側に位置する口部３周壁には、空気孔６が形成されている。また、スクリューキャップ４には帯状の薄肉片４Ａが連接されており、この薄肉片４Ａの一端に空気孔６に嵌合可能な空気孔用栓部７が設けられている。空気用栓部７は、図２に示すように、スクリューキャップ４により口部３を閉じた際には、空気孔６に嵌合せしめられて該空気孔６を閉鎖し、口部３から液体を排出する際には、図１に示すように、空気孔６から取り外される。空気孔用栓部７は、具体的には、ボール部７ａを備えた棒状のつまみ部７ｂと、つまみ部７ｂの中途に設けられたフランジ部７ｃとを備えて構成され、ボール部７ａが空気孔６から内部に挿入され、フランジ部７ｃを口部３の周壁外面に当接させて装着される。
【００１０】
なお、空気孔用栓部７を空気孔６に嵌合させた際に、該空気孔用栓部７を口部３の周壁に固定するため、図２に示すように、空気孔用栓部７の外面を被覆して貼られるシール部材８を備えるのが好ましく、空気孔６のシール性をより向上することができる。但し、図１及び図２に示した空気孔用栓部７にはつまみ部７ｂが突出形成されているため、シール部材８を貼着する際に邪魔になる。そこで、この場合には、シール部材８に切り込み（図示せず）を設けるなどして、シール部材８を貼着する際には、つまみ部７ｂの側方から、該つまみ部７ｂが切り込み内に位置するようにしてフランジ部７ｃの外面を被覆して貼着する。
スクリューキャップ４としては、図３に示したような空気孔用栓部７’を備えたものを用いることもできる。この空気孔用栓部７’は、空気孔６内に挿入されるボール部７’ａと、ボール部７’ａを支持し、口部３の周壁外面に当接する板状部７’ｂとを備えたもので、板状部７’ｂの表面がほぼ平坦であるため、シール部材８として切り込みのない単なる四角形や円形のものを用い、そのまま板状部７’ｂの外面を被覆して貼着することができる。
【００１１】
かかるペットボトル１から飲料などを飲んだり、他の容器に注ぐ場合には、先ず、シール部材８を剥がしてから、スクリューキャップ４を緩めて外せば、該スクリューキャップ４に連接されている空気孔用栓部７が引っ張られて空気孔６から外れ、該空気孔６が容易に開栓される。そして、本体部２を口部３の傾斜方向に傾けて、飲料などを飲んだり、他の容器に注ぐ。
【００１２】
このように、ペットボトル１の口部３が本体部２に対して斜めに延びていると、飲料などを飲む場合や他の容器に注ぐ場合に、飲料などがスムーズに緩やかに出るため、飲み易いし、飲料などをこぼしてしまうこともなく、注ぎはねも少ない。
【００１３】
また、空気孔６が開いているため、飲料などを飲む場合や他の容器に注ぐ場合に、空気孔６からペットボトル１内に空気が入り、飲料などがスムーズに流れ、口部３から空気が入るゴボゴボという耳障りな音もなくなる。なお、空気孔６は斜めに延びた口部３の上側に形成されているため、使用時において空気孔６が下側になることはなく、ペットボトル１から飲料などを飲んだり、注いだりするときに、空気孔６から飲料が漏れ出ることはない。さらに、口部３が本体部２に対して斜めに延びているため、ペットボトル１内部の飲料などが少なくなってきた場合には、飲料などを飲んだり、他の容器に注ぐときに、ペットボトル１をそれ程傾けなくとも良くなり、腕への負担も軽減することができる。
【００１４】
一方、ペットボトル１を使用しないときは、スクリューキャップ４を締めて口部３を閉じると共に、空気用栓部７を空気孔６に嵌合させれば良い。この場合、誤って倒れても、空気孔６を介しての飲料の流出が防止される。
【００１５】
図４は、第２の実施形態に係る液体容器としてのペットボトル１１を示す図である。このペットボトル１１は、その口部１２に、該口部１２外面から膨出する位置と内面に凹んで格納される位置とに選択的に折曲変形される上面が開放された略三角錐のくちばし形状をなした注ぎ部１３を一体形成したものである。注ぎ部１３は、口部１２に締められたスクリューキャップ１４の軸方向長さの略半分位の位置に下端位置がくるように設けることが好ましい。これにより、スクリューキャップ１４を口部１２に締めたときに、注ぎ部１３がスクリューキャップ１４により完全に塞がれ、注ぎ部１３から飲料などが漏れ出ることを効果的に防止できる。
【００１６】
ペットボトル１１から酒や醤油などを他の容器に注いだりするときには、注ぎ部１３を図４（ｂ）の実線で示すように口部１２外面から膨出する位置にし、注がないときには、注ぎ部１３を図４（ｂ）の破線で示すように内面に凹んで格納される位置にして、スクリューキャップ１４によって塞ぐ。
【００１７】
このように、口部１２に注ぎ部１３を一体形成したことにより、酒や醤油などを他の容器に注ぐ場合に、酒や醤油などがこぼれることなく、より注ぎ易くなる。また、注ぎ部１３は、膨出位置と格納位置とに折曲変形できるように設けられているため、簡単に素早く使用形態に変形できると共に、スクリューキャップ１４も何ら支障なく口部１２に装着することができる。
なお、上記の実施形態では、ペットボトルを例にとって説明したが、他の液体容器でも本考案を適用することができるのは言うまでもない。
【図面の簡単な説明】
【００１８】
【図１】図１は、本考案の液体容器としてのペットボトルの第１の実施形態を示す一部を断面にした正面図で、口部と空気孔を開いた状態を示す図である。
【図２】図２は、同上の第１の実施形態を示す一部を断面にした正面図で、口部と空気孔を閉じた状態を示す図である。
【図３】図３は、空気孔用栓部の他の態様を示す図である。
【図４】図４は、本考案の液体容器としてのペットボトルの第２の実施形態を示す図で、（ａ）は正面図、（ｂ）は（ａ）中Ａ矢視図である。
【図５】図５は、従来のペットボトルを示す正面図である。
【符号の説明】
【００１９】
１  ペットボトル
２  本体部
３  口部
４  スクリューキャップ
５  首部
６  空気孔
７  空気孔用栓部
８  シール部材
１１  ペットボトル
１２  口部
１３  注ぎ部
１４  スクリューキャップ
【図１】
0003107288.tif 000003
【図２】
0003107288.tif 000004
【図３】
0003107288.tif 000005
【図４】
0003107288.tif 000006
【図５】
0003107288.tif 000007